(57)【要約】      （修正有）【課題】移動広告と荷物運搬とが同時にできるトラックに牽引される利用率の高いトレーラーを提供する。【解決手段】トレーラーの荷台１１上に、広告表示用透明光パネル２１で囲まれた第１の骨格ボックス４が搭載され、さらにその内側に荷物運搬用とした熱遮断部材２２で囲まれた第２の骨格ボックス５が搭載され、前記２つのボックスの間隙空間にＬＥＤ、蛍光灯などの複数の照明器具を整列させ、さらに光反射板を備えた移動広告・荷物運搬車を構成する。【選択図】図１
0003151283.tif 000002
【実用新案登録請求の範囲】
【請求項１】
トラックターに対して相対的に旋回可能な状態で、そのトラックターに牽引されるトレーラーと；
そのトレーラーの長方形状荷台外枠上に着脱自在に搭載固定できる立方体形状骨格を形成する第一の骨格ボックスと；
その第一の骨格ボックスの後部枠は、さらにその枠の内側に少なくとも一つを支軸とする扉用に設けた出入口用の第一の扉枠と；
その第一の骨格ボックス前左右上部及び第一の扉枠各５面に於けるそれぞれの長方形状骨格枠面に着脱自在に固定可能な５枚の広告表示用の透過性パネルと；
前記第一の骨格ボックスの内側にあり前記荷台上の着脱自在に搭載固定できる立方体形状骨格を形成する第二の骨格ボックスと；
その第二の骨格ボックスの後部枠は、さらにその枠の内側に少なくとも一つを支軸とする荷物出し入れの扉用に設けた第二の扉枠と；
前記第一と第二の骨格ボッス前左右上部の各間隙空面内に設けられた照明輻射部と；
前記第一と第二の扉枠の間隙空面内に設けた扉照明輻射部と；
前記第二の骨格ボックス前左右上部及び第二の扉枠それぞれの面毎にそれらの骨格枠外部全面に設けた前記照明輻射光を反射させる金属板からなる５枚の反射部材と；
前記第二の骨格ボックス前左右上部及び第二の扉枠それぞれの面毎にそれらの骨格枠内部に設けられ前記照明輻射部により加熱された空気の対流熱を防止する熱伝導度に低い材料を張付けた５枚の熱遮断部材と；からなることを特徴とする移動広告・荷物運搬車。
【請求項２】
前記照明輻射部及び扉照明輻射部が設けられた間隙空間の加熱空気を排気する為、第一の前部枠に設けられた外気取入窓と第一の扉枠に設けた外気排気窓及び排気ファンとをさらに具備することを特徴とする請求項１記載の移動広告・荷物運搬車。
【請求項３】
前記照明輻射部は複数の蛍光灯又はＬＥＤ（発光ダイオード）ソッケトを設けた照明器具群とその照明器具群を支持するため前記各反射部材の外側或は前記透過性パネル枠の内側に設けた支持枠とからなることを特徴とする請求項１記載の移動広告・荷物運搬車。
【請求項４】
前記透過性パネルは、その表面にラッピング或は塗布印刷された透明或は半透明の樹脂板により形成されることを特徴とする請求項１記載の移動広告・荷物運搬車。
【請求項５】
前記照明輻射部及び扉照明輻射部と前記排気ファンの入力端子への電力供給線は、前記トラックター内に設けられた接続盤を介して接続されていることを特徴とする請求項１記載の移動広告・荷物運搬車。
【考案の詳細な説明】
【技術分野】
【０００１】
本考案は、道路を走行しながら広告を行うと共に、同時に荷物などを搭載して運搬するトレーラーなどの車両に関する。
【背景技術】
【０００２】
移動広告装置としてトラックを広告専用車として使用することは、従来からなされていた。トラックの荷台に広告内容を表示したパネルを取りつけたものであり、パネル自体又は荷台上に配置した照明具によって照明を行いながら、さらにスピーカからの音声をだしながら道路を走行して広告宣伝を行っていた（特許文献１参照）。
【０００３】
しかし、上記のような移動広告装置からなるトラックを広告専用車では、道路上にいる人たちへの広告宣伝になるが、ビルデングなどの高い場所にいる人への宣伝効果は低くなる。特に、都会ではその欠点は大きく、宣伝費が無駄となっていた。
【０００４】
そこで、その移動広告装置の上部にも前記パネルを付けた。さらに、前後にもそのパネルを付けた移動広告装置をトレーラーに搭載して旋回しても前後のパネルが見えるようにした。
【０００５】
また、移動広告装置をトレーラーから取り外し自在にして、その広告を行わない時はその移動広告装置を取り外しトレーラー上に荷物を搭載して利用率を向上するようにした（特許文献２参照）。
【０００６】
しかしながら、移動広告と荷物運搬を同時に行なえば、より利用率が向上することは明らかであり要望された。
【先行技術文献】
【特許文献】
【０００７】
【特許文献１】特開２００２−２９３２６号
【特許文献２】実用新案登録第３１４３６５０号
【考案の概要】
【考案が解決しようとする課題】
【０００８】
そこで、本考案は、移動広告と荷物運搬とが同時にできるトレーラーを提供することを目的とする。すなわち、利用率の高いトレーラーを構成することを課題とする。
【課題を解決するための手段】
【０００９】
本考案の移動広告・荷物運搬車は、トラックターに対して相対的に旋回可能な状態で、そのトラックターに牽引されるトレーラーと；そのトレーラーの長方形状荷台外枠上に着脱自在に搭載固定できる立方体形状骨格を形成する第一の骨格ボックスと；その第一の骨格ボックスの後部枠は、さらにその枠の内側に少なくとも一つを支軸とする扉用に設けた出入口用の第一の扉枠と；その第一の骨格ボックス前左右上部及び第一の扉枠各５面に於けるそれぞれの長方形状骨格枠面に着脱自在に固定可能な５枚の広告表示用の透過性パネルと；前記第一の骨格ボックスの内側にあり前記荷台上の着脱自在に搭載固定できる立方体形状骨格を形成する第二の骨格ボックスと；その第二の骨格ボックスの後部枠は、さらにその枠の内側に少なくとも一つを支軸とする荷物出し入れの扉用に設けた第二の扉枠と；前記第一と第二の骨格ボッス前左右上部の各間隙空面内に設けられた照明輻射部と；前記第一と第二の扉枠の間隙空面内に設けた扉照明輻射部と；前記第二の骨格ボックス前左右上部及び第二の扉枠それぞれの面毎にそれらの骨格枠外部全面に設けた前記照明輻射光を反射させる金属板からなる５枚の反射部材と；前記第二の骨格ボックス前左右上部及び第二の扉枠それぞれの面毎にそれらの骨格枠内部に設けられ前記照明輻射部により加熱された空気の対流熱を防止する熱伝導度に低い材料を張付けた５枚の熱遮断部材と；からなることを特徴とする。
【００１０】
また、前記照明輻射部及び扉照明輻射部が設けられた間隙空間の加熱空気を排気する為、第一の前部枠に設けられた外気取入窓と第一の扉枠に設けた外気排気窓及び排気ファンとをさらに具備することを特徴とする。
【００１１】
また、前記照明輻射部は複数の蛍光灯又はＬＥＤ（発光ダイオード）ソッケトを設けた照明器具群とその照明器具群を支持するため前記各反射部材の外側或は前記透過性パネル枠の内側に設けた支持枠とからなることを特徴とする。
【００１２】
また、前記透過性パネルは、その表面にラッピング或は塗布印刷された透明或は半透明の樹脂板により形成されることを特徴とする。
【００１３】
また、前記照明輻射部及び扉照明輻射部と前記排気ファンの入力端子への電力供給線は、前記トラックター内に設けられた接続盤を介して接続されていることを特徴とする。
【考案の効果】
【００１４】
本考案の移動広告・荷物運搬車によれば、移動広告パネル表示用の第一の骨格ボックスをトレーラー上に固定し、更にその内側に間隙空間を介して荷物運搬用の第二の骨格ボックスをトレーラー上に固定する構成としたので、移動広告業務と荷物運搬業務とが同時にできる効果がある。
【００１５】
また、この構成のより前記間隙空間にある透過性パネルの照明輻射部の電力は、第二の骨格ボックス外側反射部材により、低減させることができる。
【００１６】
また、この構成はその間隙空間の照明輻射部による加熱は走行による自然排気が可能となる。
【００１７】
第一及び第二の骨格ボックスはいずれも着脱自在にトレーラーに固定できるので組み立て操作は容易であり、また、移動広告透過性パネルが固定された第一の骨格ボックスの取替え作業も容易である。
【００１８】
第二の骨格ボックス内部に設けた熱遮断部材をさらに熱伝導度の低い材料とするか、或は、その低い材料を多層に設ければ、第二の骨格ボックス内部を容易に冷凍庫とすることができる。
【図面の簡単な説明】
【００１９】
【図１】移動広告・荷物運搬車の一実施例であり、（ａ）は側面図、（ｂ）は平面図である。
【図２】トレーラー部を示し、（ａ）は図１におけるＸ−Ｘ線断面図、（ｂ）はＹ−Ｙ線断面図である。
【図３】第二の骨格ボックス５を取り除いた状態のトレーラー部を示し、（ａ）は図１のＸ−Ｘ線断面図、（ｂ）はＹ−Ｙ線断面図である。
【考案を実施するための形態】
【００２０】
以下、本考案の実施の形態について図を用いて説明する。
図１は、移動広告・荷物運搬車１の一実施例を示す。ここで、２はトラックター、３はトレーラー部分を示す。図１（ａ）はトラックター２が直進して走行している場合の側面図であり、図１（ｂ）はトラックター２が旋回して走行している場合の平面図である。
【００２１】
４は、立方体状の第一の骨格ボックスを示す。そのフレームは、前面枠４ａ、左右側面枠４ｂ、４ｃ、上面枠４ｄ、出入口用の第一の扉枠４ｅを形成している。第一の扉枠４ｅはその枠の何れかを回転支軸４ｘとして回転扉を形成する。
第一の骨格ボックス４は、トラックター２の荷台１１の外枠上に積載され、骨格ボックス４の下部の枠と荷台１１の外枠とは着脱自在にネジなどで固定される。
【００２２】
５は、第一の骨格ボックス４の内側に所定幅の間隙空間を介して荷台１１上に積載され、その荷台１１に対して着脱自在にネジなどで固定された立方体状の第二の骨格ボックスである。そのフレームは、前面枠５ａ、左右側面枠５ｂ、５ｃ、上面枠５ｄ，荷物１１出入用第二の扉枠５ｅを形成している（図１では二点鎖線で示す）。
【００２３】
第一の骨格ボックス４前左右上各面枠４ａ、４ｂ、４ｃ、４ｄ及び第一の扉枠４ｅ各５面上には、それぞれ半透明又は透明の樹脂板表面に広告印刷物がラッピングされた方形状の透光性パネル２１を設ける。その透光性パネル２１の周縁を第一の骨格ボックス４の面枠及び扉枠に対向させてネジなどで着脱自在に固定させる。なお、透光性パネル２１は手書きされたものでもよく、直接印刷されたものでもよい。
【００２４】
第一の骨格ボックス４と第二の骨格ボックス５との間の前記間隙空間には、透光性パネル２１を内部から照明する為の照明輻射部２５が設置されている。その照明輻射部２５は複数の発光ダイオード（ＬＥＤ）、蛍光灯、各種ランプ２３などの複数の照明器具とそれらを支持する支持枠２４からなる。前記所定幅は、前記間隙空間に照明輻射部２５が収まる必要最小幅であればよい。その幅以上にすることは荷物のために使う空間を狭くする。
尚、図１（ｂ）におけるように、旋回しているときは前面枠４ｅに設けられた透光性パネル２１がよく目立つようになる。
【００２５】
その照明輻射部２５は、第一の骨格ボックス４の内側か、或は第二の骨格ボックス５外側の何れかにネジなどで固定してよい。扉枠４ｅ，５ｅの場合も同様である。図１では、扉枠の回転支軸４ｘ、５ｘが上部にある場合を図示してある。  
【００２６】
第二骨格ボックス５の外側には、照明輻射部２５の熱輻射線を反射させる金属の反射部材２６で覆われる。更に、その反射部材２６の内側には間隙空間の空気対流による加熱を遮断する熱伝導度の低い材料からなる熱遮断部材２２を貼り付けるか或はネジ留めする。
【００２７】
なお、前記間隙空間の照明による加熱空気を排気するため、第一骨格ボックス４の上部に空気取入口３０と空気排気口３１とを設ける。さらに、強制排気のために排気ファン３２を設ける（図４（ｂ）参照）。
【００２８】
また、１３はキングピン、１５は固定用アンカー、１６は発電機、２７は照明輻射部２５および排気ファン３２への電力入力端子部、２８はトラックター２に設けた接続操作盤、２９は入力端子部２７と接続操作盤２８と接続する接続線である。
【００２９】
第二の骨格ボックス５の中には、運搬すべき荷物５０を搭載して、広告表示をしながら走行し、その荷物５０を所定の場所に運ぶことができる。すなわち、異なる業務を同時に果たせることになる。
【００３０】
図２は、トレーラー３の断面図である。図２（ａ）は図１（ａ）のｘ−ｘ断面図である。すなわち、走行方向に垂直な面の断面図である。図２（ｂ）は図１（ｂ）のｙ−ｙ断面図である。すなわち、走行方向に平行な面の断面図である。
【００３１】
第一の骨格ボックス４と第二の骨格ボックス５間の間隙空間にＬＥＤなどの照明輻射部２５があり、反射部材２６で光を反射させると共に、内部にある荷物室へは熱が伝導しないように熱遮断部材２２を外側に備えた第二の骨格ボックス５を示してある。
荷物５０の出し入れは第一の扉と第二の扉をそれぞれ開いて行う。
【００３２】
図３は、図２において、第二の骨格ボックス５を取り除いた状態にして、照明輻射部２５の構造を示した図である。
ここで、図３（ａ）、（ｂ）はそれぞれｘ−ｘ，ｙ−ｙ断面図である。ここでは、ＬＥＤ，蛍光灯２３などのソケットを含む複数の照明輻射部２５とそれらを整列させて支持する枠２４を収容し、その間隙空間の空気を走行しながら自然に取り入れる空気取入口３０と空気排気口３１と強制排気用の排気ファン３２が示される。
【符号の説明】
【００３３】
１      移動広告・荷物運搬車
２      トラックター
３      トレーラー
４      第一の骨格ボックス
４ａ    前面枠
４ｂ、４ｃ  左右側面枠
４ｅ      第一の扉枠
４ｘ、５ｘ  扉回転支軸
５      第二の骨格ボックス
５ａ    前面枠
５ｂ、５ｃ  左右側面枠
５ｅ      第二の扉枠
１１    荷台
１３    キングピン
１５    固定用アンカー
１６    発電機
２１    透光性パネル
２２    熱遮断部材
２３    発光ダイオード、ＬＥＤ、蛍光灯など
２４    照明支持枠
２５    照明輻射部
２６    反射部材
２７    入力端子部
２８    接続操作盤
２９    接続線
３０    空気取入口
３１    空気排気口
３２    排気ファン
５０    荷物
【図１】
0003151283.tif 000003
【図２】
0003151283.tif 000004
【図３】
0003151283.tif 000005